(57)【要約】【課題】ユーザーの利便性を向上する。【解決手段】画像形成装置１００は、受付部８０１、第１判定部８０２、印刷ジョブ記憶部８２１、第２判定部８０３及び規制部８０４を備える。受付部８０１は、用紙Ｐに所定画像ＭＰを形成する第１印刷ジョブＪＢ１を受け付ける。第１判定部８０２は、装着されたトナーコンテナＴＣが、第１コンテナＴＣ１であるか、第２コンテナＴＣ２であるかを判定する。印刷ジョブ記憶部８２１は、第１コンテナＴＣ１が装着された状態で実行された複数の印刷ジョブＪＢＰを記憶する。第２判定部８０３は、複数の印刷ジョブＪＢＰが、用紙Ｐに所定画像ＭＰが形成された第２印刷ジョブＪＢ２を含むか否かを判定する。規制部８０４は、第１判定部８０２の判定結果と第２判定部８０３の判定結果とに応じて、第１印刷ジョブＪＢ１の実行を規制する。印刷ジョブ記憶部８２１は、複数の印刷ジョブＪＢＰの各々の画像を示す情報を記憶する。【選択図】図４
2019136884.tif 000002
【特許請求の範囲】
【請求項１】
消耗品を収容する交換部品が装着される装着部と、
前記消耗品を消費することによって記録媒体に画像を形成する画像形成部と、
前記記録媒体に所定画像を形成する旨のジョブを示す第１印刷ジョブを受け付ける受付部と、
前記装着部に装着された前記交換部品が、第１交換部品であるか、前記第１交換部品と相違する第２交換部品であるかを判定する第１判定部と、
前記第１交換部品が前記装着部に装着された状態で実行された複数の印刷ジョブを記憶する印刷ジョブ記憶部と、
前記印刷ジョブ記憶部に記憶された前記複数の印刷ジョブを参照して、前記複数の印刷ジョブが第２印刷ジョブを含むか否かを判定する第２判定部と、
前記第１判定部の判定結果と前記第２判定部の判定結果とに応じて、前記第１印刷ジョブの実行を規制する規制部と
を備え、
前記第２印刷ジョブは、前記記録媒体に前記所定画像が形成されたジョブを示し、
前記印刷ジョブ記憶部は、前記複数の印刷ジョブの各々について前記記録媒体に形成した画像を示す情報を記憶する、画像形成装置。
【請求項２】
前記印刷ジョブ記憶部は、前記複数の印刷ジョブの各々について印刷ジョブを指示したユーザーを示す情報を更に記憶し、
前記印刷ジョブ記憶部に記憶された前記ユーザーを示す情報を参照して、前記第２印刷ジョブを指示したユーザーが、前記第１印刷ジョブを指示したユーザーと一致するか否か判定する第３判定部を更に備え、
前記規制部は、前記第３判定部の判定結果に応じて、前記第１印刷ジョブの実行を規制する、請求項１に記載の画像形成装置。
【請求項３】
前記第３判定部が、前記第２印刷ジョブを指示したユーザーが、前記第１印刷ジョブを指示したユーザーと一致すると判定した場合に、前記規制部は、前記第１印刷ジョブの実行を規制し、
前記第３判定部が、前記第２印刷ジョブを指示したユーザーが、前記第１印刷ジョブを指示したユーザーと一致しないと判定した場合に、前記規制部は、前記第１印刷ジョブの実行を許可する、請求項２に記載の画像形成装置。
【請求項４】
前記第１印刷ジョブを指示したユーザーの入力に基づいて、前記第１印刷ジョブの実行の許否を判定する第４判定部と、
前記第４判定部の判定結果に応じて、前記第１印刷ジョブの実行の規制を解除する解除部と
を更に備える、請求項１から請求項３のいずれか１項に記載の画像形成装置。
【請求項５】
前記第４判定部の判定結果を示す情報を、前記第２印刷ジョブに対応付けて前記印刷ジョブ記憶部に書き込む書込部を更に備え、
前記解除部は、前記印刷ジョブ記憶部を参照して、前記第１印刷ジョブの実行の規制を解除する、請求項４に記載の画像形成装置。
【請求項６】
報知部を更に備え、
前記報知部は、前記第４判定部が前記第１印刷ジョブの実行が不許可であると判定した場合に、前記装着部に装着された前記交換部品を前記第１交換部品に交換する旨を報知する、請求項４又は請求項５に記載の画像形成装置。
【請求項７】
前記画像形成装置は、他の画像形成装置と通信可能に接続され、
指示部を更に備え、
前記指示部は、前記第４判定部が前記第１印刷ジョブの実行が不許可であると判定し、且つ、前記他の画像形成装置に前記第１交換部品が装着されている場合に、前記他の画像形成装置に対して前記第１印刷ジョブを実行する旨指示する、請求項４から請求項６のいずれか１項に記載の画像形成装置。
【請求項８】
原稿に形成された画像を読み取り、画像情報を生成する画像読取部と、
前記画像情報に対して文字認識処理を実行しテキスト情報を生成する生成部と、
前記テキスト情報に基づき、前記画像を示す情報を決定する決定部と
を更に備え、
前記印刷ジョブは、前記画像情報に対応する画像を前記記録媒体に形成するジョブを示し、
前記印刷ジョブ記憶部は、前記複数の印刷ジョブの各々に対応付けて前記画像を示す情報を記憶し、
前記第２判定部は、前記印刷ジョブ記憶部に記憶された前記画像を示す情報を参照して、前記複数の印刷ジョブが前記第２印刷ジョブを含むか否かを判定する、請求項１から請求項７のいずれか１項に記載の画像形成装置。
【請求項９】
前記装着部には、複数色の前記消耗品をそれぞれ収容する複数個の前記交換部品が装着され、
前記画像形成部は、前記複数色の消耗品を消費することによって前記記録媒体にカラー画像を形成可能であり、
前記第１判定部は、前記複数個の交換部品の各々が前記第１交換部品であるか、前記第２交換部品であるかを判定し、
前記印刷ジョブ記憶部は、前記複数個の交換部品の各々が前記第１交換部品である場合に実行された複数の印刷ジョブを記憶する、請求項１から請求項８のいずれか１項に記載の画像形成装置。
【発明の詳細な説明】
【技術分野】
【０００１】
本発明は、画像形成装置に関する。
【背景技術】
【０００２】
特許文献１に記載の印刷システムは、ファイルサーバーと、クライアントコンピューターと、印刷装置とを備え、これらが通信可能に接続される。ファイルサーバーは、印刷装置で印刷された印刷データ及び印刷条件を記憶する。クライアントコンピューターは、印刷データ及び印刷条件が変更されているか否かを判定する。印刷データ及び印刷条件の少なくとも一方が変更されていると判定した場合には、クライアントコンピューターは、再印刷を行っても前回の印刷結果とは異なる結果になることをユーザーに通知する。クライアントコンピューターは、再印刷に対するユーザーによる確認結果に基づいて、再印刷を実行するように印刷装置を制御する。
【先行技術文献】
【特許文献】
【０００３】
【特許文献１】特開２０１５−１２１８８３号公報
【発明の概要】
【発明が解決しようとする課題】
【０００４】
特許文献１に記載の印刷システムでは、トナーコンテナが純正品であるか、非純正品であるかを示す情報は印刷条件に含まれていない。よって、非純正品のトナーコンテナが装着されて印刷ジョブが実行された場合には、ユーザーが要求する画質を満たさない画像が用紙に形成される可能性がある。したがって、ユーザーの利便性が充分ではない。
【０００５】
本発明は、上記課題に鑑みてなされたものであり、ユーザーの利便性を向上可能な画像形成装置を提供することを目的としている。
【課題を解決するための手段】
【０００６】
本発明に係る画像形成装置は、装着部と、画像形成部と、受付部と、第１判定部と、印刷ジョブ記憶部と、第２判定部と、規制部とを備える。前記装着部は、消耗品を収容する交換部品が装着される。前記画像形成部は、前記消耗品を消費することによって記録媒体に画像を形成する。前記受付部は、前記記録媒体に所定画像を形成する旨のジョブを示す第１印刷ジョブを受け付ける。前記第１判定部は、前記装着部に装着された前記交換部品が、第１交換部品であるか、前記第１交換部品と相違する第２交換部品であるかを判定する。前記印刷ジョブ記憶部は、前記第１交換部品が前記装着部に装着された状態で実行された複数の印刷ジョブを記憶する。前記第２判定部は、前記印刷ジョブ記憶部に記憶された前記複数の印刷ジョブを参照して、前記複数の印刷ジョブが第２印刷ジョブを含むか否かを判定する。前記規制部は、前記第１判定部の判定結果と前記第２判定部の判定結果とに応じて、前記第１印刷ジョブの実行を規制する。前記第２印刷ジョブは、前記記録媒体に前記所定画像が形成されたジョブを示す。前記印刷ジョブ記憶部は、前記複数の印刷ジョブの各々について前記記録媒体に形成した画像を示す情報を記憶する。
【発明の効果】
【０００７】
本発明の画像形成装置によれば、ユーザーの利便性を向上できる。
【図面の簡単な説明】
【０００８】
【図１】本発明の実施形態に係る画像形成装置の接続状態の一例を示す図である。
【図２】本発明の実施形態に係る画像形成装置の構成の一例を示す図である。
【図３】本発明の実施形態に係る画像形成部の構成の一例を示す図である。
【図４】本発明の実施形態に係る制御部の構成の一例を示す図である。
【図５】印刷ジョブ記憶部が記憶する情報の一例を示す図である。
【図６】本発明の実施形態に係る制御部の構成の一例を示す図である。
【図７】タッチパネルに表示される印刷許否判定画面の一例を示す画面図である。
【図８】印刷ジョブ記憶部が記憶する情報の一例を示す図である。
【図９】タッチパネルに表示される文書名入力画面の一例を示す画面図である。
【図１０】印刷ジョブ記憶部が記憶する情報の一例を示す図である。
【図１１】制御部の処理の一例を示すフローチャートである。
【図１２】制御部の処理の一例を示すフローチャートである。
【発明を実施するための形態】
【０００９】
以下、本発明の実施形態について、図面（図１〜図１２）を参照しながら説明する。なお、図中、同一又は相当部分については同一の参照符号を付して説明を繰り返さない。
【００１０】
まず、図１を参照して、本発明の実施形態に係る画像形成装置１００の接続状態について説明する。図１は、画像形成装置１００の接続状態の一例を示す図である。図１に示すように、画像形成システム４００は、２台の画像形成装置１００と、３台のパーソナルコンピューター（ＰＣ：Ｐｅｒｓｏｎａｌ  Ｃｏｍｐｕｔｅｒ）２００とを備える。
【００１１】
２台の画像形成装置１００は、画像形成装置１００Ａと、画像形成装置１００Ｂとを含む。２台の画像形成装置１００の各々は、ネットワーク３００を介して、互いに通信可能に接続される。また、２台の画像形成装置１００の各々は、ネットワーク３００を介して、３台のパーソナルコンピューター２００と通信可能に接続される。
【００１２】
３台のパーソナルコンピューター２００は、パーソナルコンピューター２００Ａと、パーソナルコンピューター２００Ｂと、パーソナルコンピューター２００Ｃとを含む。
【００１３】
ネットワーク３００は、例えばインターネットである。本発明の実施形態では、ネットワーク３００がインターネットであるが、本発明はこれに限定されない。ネットワーク３００は、２台の画像形成装置１００の各々を互いに通信可能に接続し、且つ、２台の画像形成装置１００の各々と３台のパーソナルコンピューター２００の各々とを通信可能に接続すればよい。例えば、ネットワーク３００がＬＡＮ（Ｌｏｃａｌ  Ａｒｅａ  Ｎｅｔｗｏｒｋ）でもよいし、ＷＡＮ（Ｗｉｄｅ  Ａｒｅａ  Ｎｅｔｗｏｒｋ）でもよい。
【００１４】
次に、図１及び図２を参照して、本発明の実施形態に係る画像形成装置１００の構成について説明する。図２は、画像形成装置１００の構成を示す図である。画像形成装置１００は、カラー複合機である。
【００１５】
図２に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像Ｍを読み取り、画像情報ＭＪを生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１６】
画像形成ユニット１は、給送部１２、搬送部Ｌ、トナー供給部１３、画像形成部４、定着部１６及び排出部１７を備える。画像形成部４は、転写部５を含む。
【００１７】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１８】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「複数の交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１９】
トナーコンテナＴＣｃには、シアン色のトナーＴＮ１が収納される。トナーコンテナＴＣｃは、画像形成部４にシアン色のトナーＴＮ１を供給する。トナーコンテナＴＣｍには、マゼンタ色のトナーＴＮ２が収納される。トナーコンテナＴＣｍは、画像形成部４にマゼンタ色のトナーＴＮ２を供給する。トナーコンテナＴＣｙには、イエロー色のトナーＴＮ３が収納される。トナーコンテナＴＣｙは、画像形成部４にイエロー色のトナーＴＮ３を供給する。トナーコンテナＴＣｋには、黒色のトナーＴＮ４が収納される。トナーコンテナＴＣｋは、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、トナーＴＮ１〜トナーＴＮ４の各々をトナーＴＮと総称する場合がある。
【００２０】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００２１】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４の各々を、ＩＣタグ６と総称する場合がある。また、識別情報ＪＤｃ、識別情報ＪＤｍ、識別情報ＪＤｙ及び識別情報ＪＤｋの各々を、識別情報ＪＤと総称する場合がある。
【００２２】
トナー供給部１３には、トナーコンテナＴＣｃ〜トナーコンテナＴＣｋが着脱自在である。トナー供給部１３は、リーダー７１、リーダー７２、リーダー７３及びリーダー７４を備える。
【００２３】
リーダー７１は、ＩＣタグ６１からトナーコンテナＴＣｃの識別情報ＪＤｃを読み取る。リーダー７２は、ＩＣタグ６２からトナーコンテナＴＣｍの識別情報ＪＤｍを読み取る。リーダー７３は、ＩＣタグ６３からトナーコンテナＴＣｙの識別情報ＪＤｙを読み取る。リーダー７４は、ＩＣタグ６４からトナーコンテナＴＣｋの識別情報ＪＤｋを読み取る。以下の説明において、リーダー７１〜リーダー７４の各々を、リーダー７と総称する場合がある。
【００２４】
画像形成部４は、用紙Ｐに画像Ｍを形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像Ｍを、用紙Ｐ上に転写する。その結果、用紙Ｐに画像Ｍが形成される。画像形成部４については、後述にて図３を参照して詳細に説明する。
【００２５】
定着部１６は、用紙Ｐを加熱及び加圧し、用紙Ｐに形成された画像Ｍを用紙Ｐに定着する。排出部１７は、用紙Ｐを画像形成装置１００の外部に排出する。
【００２６】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。
【００２７】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２８】
次に、図１〜図３を参照して、本発明の実施形態に係る画像形成部４の構成について説明する。図３は、画像形成部４の構成の一例を示す図である。図３に示すように、画像形成部４は、画像形成部４ｃ、画像形成部４ｍ、画像形成部４ｙ及び画像形成部４ｋを備える。
【００２９】
画像形成部４ｃ、画像形成部４ｍ、画像形成部４ｙ及び画像形成部４ｋの構成は、供給されるトナーＴＮの色が異なるのみで、その他の構成は略同一である。したがって、以下の説明では、シアン色のトナーＴＮ１が供給される画像形成部４ｃの構成について説明し、画像形成部４ｃ以外の画像形成部（画像形成部４ｍ、画像形成部４ｙ及び画像形成部４ｋ）の構成についての説明は省略する。
【００３０】
画像形成部４ｃは、露光部４１ｃ、感光体ドラム４２ｃ、現像部４３ｃ、帯電ローラー４４ｃ及びクリーニングブレード４５ｃを有する。画像形成部４ｍは、露光部４１ｍ、感光体ドラム４２ｍ、現像部４３ｍ、帯電ローラー４４ｍ及びクリーニングブレード４５ｍを有する。画像形成部４ｙは、露光部４１ｙ、感光体ドラム４２ｙ、現像部４３ｙ、帯電ローラー４４ｙ及びクリーニングブレード４５ｙを有する。画像形成部４ｋは、露光部４１ｋ、感光体ドラム４２ｋ、現像部４３ｋ、帯電ローラー４４ｋ及びクリーニングブレード４５ｋを有する。
【００３１】
以下の説明では、露光部４１ｃ、露光部４１ｍ、露光部４１ｙ及び露光部４１ｋの各々を、露光部４１と総称する場合がある。感光体ドラム４２ｃ、感光体ドラム４２ｍ、感光体ドラム４２ｙ及び感光体ドラム４２ｋの各々を、感光体ドラム４２と総称する場合がある。現像部４３ｃ、現像部４３ｍ、現像部４３ｙ及び現像部４３ｋの各々を、現像部４３と総称する場合がある。帯電ローラー４４ｃ、帯電ローラー４４ｍ、帯電ローラー４４ｙ及び帯電ローラー４４ｋの各々を、帯電ローラー４４と総称する場合がある。クリーニングブレード４５ｃ、クリーニングブレード４５ｍ、クリーニングブレード４５ｙ及びクリーニングブレード４５ｋの各々を、クリーニングブレード４５と総称する場合がある。
【００３２】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーＴＮ１を供給して静電潜像を現像してトナー像を形成する。このようにして、感光体ドラム４２ｃの周面にシアン色のトナー像が形成される。
【００３３】
クリーニングブレード４５ｃの先端（図３では上端）は、感光体ドラム４２ｃの周面と摺接する。感光体ドラム４２ｃの周面とクリーニングブレード４５ｃの先端とが摺接することで、クリーニングブレード４５ｃは、感光体ドラム４２ｃの周面に残留するシアン色のトナーＴＮ１を除去する。
【００３４】
転写部５は、用紙Ｐにトナー像を転写する。転写部５は、一次転写ローラー５１、二次転写ローラー５２、駆動ローラー５３、中間転写ベルト５４、従動ローラー５５及びブレード５６を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３５】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーＴＮを除去する。
【００３６】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３７】
次に、図１〜図４を参照して、本発明の実施形態に係る制御部８の構成について説明する。図４は、制御部８の構成の一例を示す図である。
【００３８】
図４に示すように、制御部８は、受付部８０１、第１判定部８０２、第２判定部８０３、規制部８０４、第３判定部８０５及び第１指示部８０６を備える。具体的には、制御部８のプロセッサー８１は、制御プログラムを実行することによって、受付部８０１、第１判定部８０２、第２判定部８０３、規制部８０４、第３判定部８０５及び第１指示部８０６として機能する。また、記憶部８２は、印刷ジョブ記憶部８２１として機能する。なお、制御部８の構成については、後述にて図６を参照して更に説明する。
【００３９】
印刷ジョブ記憶部８２１は、第１コンテナＴＣ１がトナー供給部１３に装着された状態で実行された複数の印刷ジョブＪＢＰを記憶する。具体的には、印刷ジョブ記憶部８２１は、４個のトナーＴＮの各々が第１コンテナＴＣ１である場合に実行された複数の印刷ジョブＪＢＰを記憶する。第１コンテナＴＣ１は、例えば専用品を示す。印刷ジョブ記憶部８２１は、複数の印刷ジョブＪＢＰの各々について印刷したファイルのファイル名ＦＮを記憶する。ファイル名ＦＮは、「画像Ｍを示す情報」の一例に相当する。また、印刷ジョブ記憶部８２１は、複数の印刷ジョブＪＢＰの各々についてユーザー名ＹＮを記憶する。ユーザー名ＹＮは、印刷ジョブＪＢを指示したユーザーを示す。ユーザー名ＹＮは、「ユーザーを示す情報」の一例に相当する。ファイル名ＦＮ及びユーザー名ＹＮについては、後述にて図５を参照して詳細に説明する、
【００４０】
受付部８０１は、所定画像ＭＰを用紙Ｐに形成する旨のジョブを示す第１印刷ジョブＪＢ１を受け付ける。具体的には、受付部８０１は、パーソナルコンピューター２００から第１印刷ジョブＪＢ１を受け付ける。
【００４１】
第１判定部８０２は、トナー供給部１３に装着されたトナーコンテナＴＣが、第１コンテナＴＣ１であるか、第２コンテナＴＣ２であるかを判定する。第２コンテナＴＣ２は、第１コンテナＴＣ１と相違する。第２コンテナＴＣ２は、例えば専用品以外のトナーコンテナＴＣを示す。第１コンテナＴＣ１は、「第１交換部品」の一例に相当し、第２コンテナＴＣ２は、「第２交換部品」の一例に相当する。以下の説明において、専用品以外のトナーコンテナＴＣを、非専用品と記載する場合がある。
【００４２】
具体的には、第１判定部８０２は、リーダー７を介して、トナー供給部１３に装着されたトナーコンテナＴＣの識別情報ＪＤを取得する。第１判定部８０２は、識別情報ＪＤに基づいて、トナー供給部１３に装着されたトナーコンテナＴＣが、第１コンテナＴＣ１であるか、第２コンテナＴＣ２であるかを判定する。
【００４３】
第２判定部８０３は、印刷ジョブ記憶部８２１に記憶された複数の印刷ジョブＪＢＰを参照して、複数の印刷ジョブＪＢＰが第２印刷ジョブＪＢ２を含むか否かを判定する。第２印刷ジョブＪＢ２は、用紙Ｐに所定画像ＭＰが形成されたジョブを示す。
【００４４】
規制部８０４は、第１判定部８０２の判定結果と第２判定部８０３の判定結果とに応じて、第１印刷ジョブＪＢ１の実行を規制する。具体的には、トナー供給部１３に装着されたトナーコンテナＴＣが第２コンテナＴＣ２であると第１判定部８０２が判定し、且つ、複数の印刷ジョブＪＢＰが第２印刷ジョブＪＢ２を含むと第２判定部８０３が判定した場合に、規制部８０４は、第１印刷ジョブＪＢ１の実行を規制する。
【００４５】
第３判定部８０５は、印刷ジョブ記憶部８２１に記憶されたユーザー名ＹＮを参照して、第２印刷ジョブＪＢ２を指示したユーザーが、第１印刷ジョブＪＢ１を指示したユーザーと一致するか否か判定する。
【００４６】
第１指示部８０６は、規制部８０４が第１印刷ジョブＪＢ１の実行を許可した場合に、画像形成部４に対して第１印刷ジョブＪＢ１を実行するように指示する。
【００４７】
以上、図１〜図４を参照して説明したように、本発明の実施形態では、所定画像ＭＰを用紙Ｐに形成する旨のジョブを示す第１印刷ジョブＪＢ１を受付部８０１が受け付ける。そして、トナー供給部１３に装着されたトナーコンテナＴＣが、第１コンテナＴＣ１（例えば、専用品）であるか、第２コンテナＴＣ２（例えば、非専用品）であるかを第１判定部８０２が判定する。また、複数の印刷ジョブＪＢＰが第２印刷ジョブＪＢ２を含むか否かを第２判定部８０３が判定する。第２印刷ジョブＢ２は、用紙Ｐに所定画像ＭＰを形成したジョブを示す。第１判定部８０２の判定結果と第２判定部８０３の判定結果とに応じて、規制部８０４は、第１印刷ジョブＪＢ１の実行を規制する。
【００４８】
例えば、第２コンテナＴＣ２がトナー供給部１３に装着された状態で所定画像ＭＰを用紙Ｐに形成する場合には、第１コンテナＴＣ１がトナー供給部１３に装着された状態で所定画像ＭＰを用紙Ｐに形成する場合と比較して、用紙Ｐに形成される所定画像ＭＰの画質Ｑが低下する可能性がある。よって、第２コンテナＴＣ２が装着され、且つ複数の印刷ジョブＪＢＰが第２印刷ジョブＪＢ２を含む場合には、規制部８０４は、第１印刷ジョブＪＢ１の実行を禁止する。したがって、第１コンテナＴＣ１がトナー供給部１３に装着された状態で用紙Ｐに形成された所定画像ＭＰと比較して、画質Ｑの低い所定画像ＭＰが第１印刷ジョブＪＢ１で用紙Ｐに形成されることを抑制できる。その結果、ユーザーの利便性を向上できる。
【００４９】
また、画像形成部４は、４色のトナーＴＮを消費することによって用紙Ｐにカラー画像を形成可能である。また、印刷ジョブ記憶部８２１は、４個のトナーコンテナＴＣの各々が第１コンテナＴＣ１である場合に実行された複数の印刷ジョブＪＢを記憶する。例えば、４個のトナーコンテナＴＣの少なくとも１つが第２コンテナＴＣ２であり、且つ複数の印刷ジョブＪＢＰが第２印刷ジョブＪＢ２を含む場合には、規制部８０４は、第１印刷ジョブＪＢ１の実行を禁止する。よって、４個のトナーコンテナＴＣの各々が第１コンテナＴＣ１である場合に用紙Ｐに形成された所定画像ＭＰと比較して、画質Ｑの低い所定画像ＭＰが第１印刷ジョブＪＢ１で用紙Ｐに形成されることを抑制できる。したがって、用紙Ｐにカラー画像を形成する場合においても、ユーザーの利便性を向上できる。
【００５０】
なお、本発明の実施形態では、第２コンテナＴＣ２が装着され、且つ第２印刷ジョブＪＢ２が既に実行されている場合には、規制部８０４が、第１印刷ジョブＪＢ１の実行を規制するが、本発明はこれに限定されない。トナーコンテナＴＣが第１コンテナＴＣ１から第２コンテナＴＣ２に変更された場合には、規制部８０４が、所定枚数の用紙Ｐに画像が形成されるまでは、第１印刷ジョブＪＢ１の実行を規制せず、所定枚数の用紙Ｐに画像が形成された後は、第１印刷ジョブＪＢ１の実行を規制してもよい。所定枚数は、例えば、１０枚である。現像部４３にはトナーが貯留されるため、第２コンテナＴＣ２に変更されてから所定枚数の用紙Ｐに画像が形成されるまでは、第１コンテナＴＣ１に収納されたトナーＴＮが現像部４３に残っており、現像部４３に貯留されたトナーＴＮが感光体ドラム４２に供給されるからである。
【００５１】
同様にして、トナーコンテナＴＣが第２コンテナＴＣ２から第１コンテナＴＣ１に変更された場合には、規制部８０４が、所定枚数の用紙Ｐに画像が形成されるまでは、第１印刷ジョブＪＢ１の実行を規制し、所定枚数の用紙Ｐに画像が形成された後は、第１印刷ジョブＪＢ１の実行の規制を解除してもよい。現像部４３にはトナーが貯留されるため、第１コンテナＴＣ１に変更されてから所定枚数の用紙Ｐに画像が形成されるまでは、第２コンテナＴＣ２に収納されたトナーＴＮが現像部４３に残っており、現像部４３に貯留されたトナーＴＮが感光体ドラム４２に供給されるからである。
【００５２】
次に、図４及び図５を参照して、制御部８の処理について説明する。図５は、印刷ジョブ記憶部８２１が記憶する情報の一例を示す図である。図５に示すように、印刷ジョブ記憶部８２１は、複数の印刷ジョブＪＢＰの各々について、番号ＮＭと、ファイル名ＦＮと、ユーザー名ＹＮと、許可フラグＦＬとを対応付けて記憶する。本発明の実施形態では、印刷ジョブ記憶部８２１が４つの印刷ジョブＪＢＰを記憶する場合について説明する。
【００５３】
印刷ジョブＪＢＰは、４個のトナーＴＮの各々が第１コンテナＴＣ１である場合に実行されたジョブを示す。図５では、印刷ジョブＪＢＰがプリントジョブＰＪである場合について説明する。プリントジョブＰＪは、パーソナルコンピューター２００からの指示に応じて、用紙Ｐに画像Ｍを形成するジョブを示す。
【００５４】
番号ＮＭは、プリントジョブＰＪが実行された順番を示す。
【００５５】
ファイル名ＦＮは、プリントジョブＰＪによって用紙Ｐに形成される画像Ｍに対応する。プリントジョブＰＪでは、ユーザーはパーソナルコンピューター２００を介して、印刷する対象のファイルを選択する。そして、パーソナルコンピューター２００が画像形成装置１００に対してファイルに対応する画像Ｍを形成する旨の指示をする。ファイル名ＦＮは、印刷する対象のファイルに付与されたファイル名を示す。ファイル名ＦＮは、「画像を示す情報」の一例に相当する。
【００５６】
ユーザー名ＹＮは、画像形成装置１００に対してプリントジョブＰＪの実行を指示したユーザーを示す。ユーザー名ＹＮは、「ユーザーを示す情報」の一例に相当する。
【００５７】
許可フラグＦＬは、プリントジョブＰＪの実行を指示したユーザーによって、プリントジョブＰＪの実行が許可されたか否かを示す。許可フラグＦＬが「ＯＦＦ」であることは、プリントジョブＰＪの実行が許可されていないことを示す。許可フラグＦＬが「ＯＮ」であることは、プリントジョブＰＪの実行が許可されていることを示す。許可フラグＦＬについては、後述にて図６〜図８を参照して詳細に説明する。
【００５８】
次に、図５を参照して、制御部８の処理について説明する。ただし、第２コンテナＴＣ２がトナー供給部１３に装着されている場合について以下に説明する。第２判定部８０３は、印刷ジョブ記憶部８２１に記憶された複数の印刷ジョブＪＢＰを参照して、複数の印刷ジョブＪＢＰが第２印刷ジョブＪＢ２を含むか否かを判定する。第２印刷ジョブＪＢ２は、所定画像ＭＰを用紙Ｐに形成する旨のジョブを示す。具体的には、第２判定部８０３は、所定画像ＭＰに対応するファイル名ＦＮが印刷ジョブ記憶部８２１に記憶されているか否かを判定する。
【００５９】
例えば、番号ＮＭが「２」のプリントジョブＰＪにおいては、ファイル名ＦＮが「技術説明書．ｄｏｃ」であり、番号ＮＭが「４」のプリントジョブＰＪのファイル名ＦＮが「技術説明書．ｄｏｃ」である。ファイル名ＦＮが同一である場合には、用紙Ｐに形成される画像は同一である。よって、所定画像ＭＰに対応するファイル名ＦＮが「技術説明書．ｄｏｃ」である場合には、第２判定部８０３は、第２印刷ジョブＪＢ２を含むと判定する。
【００６０】
第３判定部８０５は、印刷ジョブ記憶部８２１に記憶されたユーザー名ＹＮを参照して、第２印刷ジョブＪＢ２を指示したユーザーが、第１印刷ジョブＪＢ１を指示したユーザーと一致するか否か判定する。具体的には、第３判定部８０５は、第２印刷ジョブＪＢ２を指示したユーザーのユーザー名ＹＮが、第１印刷ジョブＪＢ１を指示したユーザーのユーザー名ＹＮと一致するか否か判定する。
【００６１】
例えば、番号ＮＭが「２」のプリントジョブＰＪにおいては、ファイル名ＦＮが「技術説明書．ｄｏｃ」であり、ユーザー名ＹＮが「Ａ」である。ファイル名ＦＮが同一である場合には、用紙Ｐに形成される画像は同一である。よって、所定画像ＭＰに対応するファイル名ＦＮが「技術説明書．ｄｏｃ」であり、且つ第１印刷ジョブＪＢ１を指示したユーザーのユーザー名ＹＮが「Ａ」である場合には、第３判定部８０５は、第２印刷ジョブＪＢ２を指示したユーザーが、第１印刷ジョブＪＢ１を指示したユーザーと一致すると判定する。
【００６２】
また、例えば、番号ＮＭが「４」のプリントジョブＰＪにおいては、ファイル名ＦＮが「技術説明書．ｄｏｃ」であり、ユーザー名ＹＮが「Ｂ」である。ファイル名ＦＮが同一である場合には、用紙Ｐに形成される画像は同一である。よって、所定画像ＭＰに対応するファイル名ＦＮが「技術説明書．ｄｏｃ」であり、且つ第１印刷ジョブＪＢ１を指示したユーザーのユーザー名ＹＮが「Ｃ」である場合には、第３判定部８０５は、第２印刷ジョブＪＢ２を指示したユーザーが、第１印刷ジョブＪＢ１を指示したユーザーと一致しないと判定する。
【００６３】
規制部８０４は、第３判定部８０５の判定結果に応じて、第１印刷ジョブＪＢ１の実行を規制する。具体的には、第２印刷ジョブＪＢ２を指示したユーザーと第１印刷ジョブＪＢ１を指示したユーザーとが一致すると第３判定部８０５が判定した場合には、規制部８０４は、第１印刷ジョブＪＢ１の実行を規制する。なぜなら、ユーザーが一致する場合には、第１印刷ジョブＪＢ１で用紙Ｐに形成された画質と、第２印刷ジョブＪＢ２で用紙Ｐに形成された画質との差をユーザーが容易に認識できるからである。第２印刷ジョブＪＢ２を指示したユーザーと第１印刷ジョブＪＢ１を指示したユーザーとが一致しないと第３判定部８０５が判定した場合には、規制部８０４は、第１印刷ジョブＪＢ１の実行を許可する。なぜなら、ユーザーが一致しない場合には、第１印刷ジョブＪＢ１で用紙Ｐに形成された画質と、第２印刷ジョブＪＢ２で用紙Ｐに形成された画質との差をユーザーが認識することは困難だからである。
【００６４】
以上、図４及び図５を参照して説明したように、本発明の実施形態では、第１印刷ジョブＪＢ１を指示したユーザーと、第２印刷ジョブＪＢ２を指示したユーザーとが一致するか否かを判定し、その判定結果に応じて、第１印刷ジョブＪＢ１の実行を規制する。例えば、第１印刷ジョブＪＢ１を指示したユーザーと第２印刷ジョブＪＢ２を指示したユーザーとが一致する場合には、規制部８０４は、画像形成部４に対して第１印刷ジョブＪＢ１の実行を禁止する。第１印刷ジョブＪＢ１を指示したユーザーと第２印刷ジョブＪＢ２を指示したユーザーとが一致しない場合には、規制部８０４は、画像形成部４に対して第１印刷ジョブＪＢ１の実行を許可する。したがって、以下に説明するように、ユーザーの利便性を更に向上できる。
【００６５】
例えば、規制部８０４は、第１印刷ジョブＪＢ１を指示したユーザーと第２印刷ジョブＪＢ２を指示したユーザーとが一致する場合には、第１印刷ジョブＪＢ１の実行を禁止する。なぜなら、ユーザーが一致する場合には、第１印刷ジョブＪＢ１で用紙Ｐに形成された画質と、第２印刷ジョブＪＢ２で用紙Ｐに形成された画質との差をユーザーが容易に認識できるからである。よって、第１印刷ジョブＪＢ１において用紙Ｐに形成される所定画像ＭＰの画質Ｑが、第２印刷ジョブＪＢ２と第１印刷ジョブＪＢ１とを指示したユーザーの要求する画質Ｑを満たさないことを回避できる。すなわち、第２印刷ジョブＪＢ２で用紙Ｐに形成された所定画像ＭＰよりも画質Ｑの低い所定画像ＭＰが第１印刷ジョブＪＢ１において用紙Ｐに形成されることが規制されるため、所定画像ＭＰの画質Ｑがユーザーの要求する画質Ｑを満たさないことを回避できる。したがって、ユーザーの利便性を更に向上できる。
【００６６】
また、例えば、第１印刷ジョブＪＢ１を指示したユーザーと第２印刷ジョブＪＢ２を指示したユーザーとが一致しない場合には、規制部８０４は、第１印刷ジョブＪＢ１の実行を許可する。なぜなら、ユーザーが一致しない場合には、第１印刷ジョブＪＢ１で用紙Ｐに形成された画質と、第２印刷ジョブＪＢ２で用紙Ｐに形成された画質との差をユーザーが認識することは困難だからである。よって、第２印刷ジョブＪＢ２を指示したユーザーと相違するユーザーは、第２印刷ジョブＪＢ２で用紙Ｐに形成された所定画像ＭＰよりも画質Ｑの低い所定画像ＭＰを第１印刷ジョブＪＢ１において用紙Ｐに形成できる。したがって、ユーザーの利便性を更に向上できる。
【００６７】
次に、図４〜図６を参照して、本発明の実施形態に係る制御部８の構成について更に説明する。図６は、制御部８の構成の一例を示す図である。図６に示すように、制御部８は、第４判定部８０７、解除部８０８、書込部８０９、報知部８１０、第２指示部８１１、取得部８１２、生成部８１３及び決定部８１４を更に備える。具体的には、制御部８のプロセッサー８１は、制御プログラムを実行することによって、第４判定部８０７、解除部８０８、書込部８０９、報知部８１０、第２指示部８１１、取得部８１２、生成部８１３及び決定部８１４として更に機能する。なお、図６では、画像形成装置１００が画像形成装置１００Ａである場合について説明する。
【００６８】
第４判定部８０７は、第１印刷ジョブＪＢ１を指示したユーザーの入力に基づいて、第１印刷ジョブＪＢ１の実行の許否を判定する。例えば、第４判定部８０７は、タッチパネル１４１に対するユーザーの入力に基づいて、第１印刷ジョブＪＢ１の実行の許否を判定する。
【００６９】
解除部８０８は、第４判定部８０７の判定結果に応じて、第１印刷ジョブＪＢ１の実行の規制を解除する。
【００７０】
書込部８０９は、第４判定部８０７の判定結果を示す情報を、第２印刷ジョブＪＢ２に対応付けて印刷ジョブ記憶部８２１に書き込む。第４判定部８０７、解除部８０８及び書込部８０９の処理については、後述にて図７及び図８を参照して詳細に説明する。
【００７１】
報知部８１０は、第４判定部８０７が第１印刷ジョブＪＢ１の実行が不許可であると判定した場合に、トナー供給部１３に装着されたトナーコンテナＴＣを第１コンテナＴＣ１に交換する旨を報知する。例えば、報知部８１０は、タッチパネル１４１に、トナー供給部１３に装着されたトナーコンテナＴＣを第１コンテナＴＣ１に交換する旨のメッセージを表示する。具体的には、報知部８１０は、「シアン色のトナーコンテナＴＣｃとして第２コンテナＴＣ２が装着されています。品質の良好な画像を形成する場合には、第１コンテナＴＣ１に交換してください。」とのメッセージをタッチパネル１４１に表示する。
【００７２】
第２指示部８１１は、第４判定部８０７が第１印刷ジョブＪＢ１の実行が不許可であると判定し、且つ画像形成装置１００Ｂに第１コンテナＴＣ１が装着されている場合に、画像形成装置１００Ｂに対して第１印刷ジョブＪＢ１を実行する旨指示する。画像形成装置１００Ｂは、「他の画像形成装置」の一例に相当する。
【００７３】
取得部８１２は、原稿Ｒに形成された画像Ｍに対応する画像情報ＭＪを画像読取ユニット２から取得する。
【００７４】
生成部８１３は、画像情報ＭＪに対して文字認識処理を実行しテキスト情報ＴＸを生成する。
【００７５】
決定部８１４は、テキスト情報ＴＸに基づき、画像Ｍを示す情報を決定する。取得部８１２、生成部８１３及び決定部８１４の処理については、後述にて図９及び図１０を参照して詳細に説明する。
【００７６】
以上、図４〜図６を参照して説明したように、本発明の実施形態では、第１印刷ジョブＪＢ１を指示したユーザーの入力に基づいて、第１印刷ジョブＪＢ１の実行の許否を判定し、その判定結果に応じて、第１印刷ジョブＪＢ１の実行の規制を解除する。例えば、第２コンテナＴＣ２がトナー供給部１３に装着された状態であっても、ユーザーが第１印刷ジョブＪＢ１の実行を許可した場合には、第１印刷ジョブＪＢ１の実行の規制を解除する。したがって、ユーザーの利便性を更に向上できる。
【００７７】
また、第１印刷ジョブＪＢ１の実行が不許可であると判定した場合に、トナー供給部１３に装着されたトナーコンテナＴＣを第１コンテナＴＣ１に交換する旨を報知する。第１コンテナＴＣ１に交換することによって、ユーザーが所望する画質Ｑの画像Ｍを確実に形成できる。
【００７８】
なお、本発明の実施形態では、報知部８１０が、トナーコンテナＴＣを第１コンテナＴＣ１に交換する旨のメッセージをタッチパネル１４１に表示するが、本発明はこれに限定されない。報知部８１０がトナーコンテナＴＣを第１コンテナＴＣ１に交換する旨をユーザーに報知すればよい。例えば、報知部８１０がトナーコンテナＴＣを第１コンテナＴＣ１に交換する旨を音声でスピーカーから出力してもよい。
【００７９】
次に、図４〜図８を参照して、制御部８の処理について更に説明する。図７は、タッチパネル１４１に表示される印刷許否判定画面９００の一例を示す画面図である。図７に示すように、印刷許否判定画面９００には、第１メッセージ表示部９０１と、第２メッセージ表示部９０２と、印刷許可ボタン９０３と、不許可ボタン９０４とが表示される。
【００８０】
第１メッセージ表示部９０１には、第１印刷ジョブＪＢ１の実行の許否の入力を促す旨のメッセージが表示される。例えば、第１メッセージ表示部９０１には、「第２コンテナＴＣ２が装着されています。印刷を許可しますか？」とのメッセージが表示される。
【００８１】
第２メッセージ表示部９０２には、第１印刷ジョブＪＢ１を指示したユーザー名ＹＮと、第１印刷ジョブＪＢ１に対応するファイル名ＦＮとが表示される。具体的には、第２メッセージ表示部９０２には、「ユーザー名：Ａ、ファイル名：技術説明書．ｄｏｃ」とのメッセージが表示される。すなわち、第１印刷ジョブＪＢ１のユーザー名ＹＮが「Ａ」であり、ファイル名ＦＮが「技術説明書．ｄｏｃ」である。
【００８２】
印刷許可ボタン９０３は、第１印刷ジョブＪＢ１の実行を許可する場合に、ユーザーによってタッチされる。印刷許可ボタン９０３がタッチされた場合には、第１印刷ジョブＪＢ１が実行される。
【００８３】
不許可ボタン９０４は、第１印刷ジョブＪＢ１の実行を許可しない場合に、ユーザーによってタッチされる。
【００８４】
次に、図６及び図７を参照して、制御部８の処理について更に説明する。第４判定部８０７は、第１印刷ジョブＪＢ１を指示したユーザーの入力に基づいて、第１印刷ジョブＪＢ１の実行の許否を判定する。具体的には、第４判定部８０７は、タッチパネル１４１に印刷許否判定画面９００を表示する。また、印刷許可ボタン９０３がタッチされた場合には、第４判定部８０７は、第１印刷ジョブＪＢ１の実行を許可する。不許可ボタン９０４がタッチされた場合には、第４判定部８０７は、第１印刷ジョブＪＢ１の実行を許可しない。
【００８５】
第１印刷ジョブＪＢ１の実行を許可すると第４判定部８０７が判定した場合には、解除部８０８は、第１印刷ジョブＪＢ１の実行の規制を解除する。第１印刷ジョブＪＢ１の実行を許可しないと第４判定部８０７が判定した場合には、解除部８０８は、第１印刷ジョブＪＢ１の実行の規制を維持する。
【００８６】
第１印刷ジョブＪＢ１の実行を許可しないと第４判定部８０７が判定した場合には、書込部８０９は、第２印刷ジョブＪＢ２に対応付する許可フラグＦＬを「ＯＦＦ」のままに維持する。第１印刷ジョブＪＢ１の実行を許可すると第４判定部８０７が判定した場合には、書込部８０９は、第２印刷ジョブＪＢ２に対応付する許可フラグＦＬを「ＯＮ」に書き換える。その結果、図５に示す印刷ジョブ記憶部８２１が記憶する情報は、図８に示す情報に変更される。
【００８７】
図８は、印刷ジョブ記憶部８２１が記憶する情報の一例を示す図である。図８に示すように、第２印刷ジョブＪＢ２に対応付する許可フラグＦＬが「ＯＮ」に書き換えられている。具体的には、番号ＮＭが「２」であり、ファイル名ＦＮが「技術説明書．ｄｏｃ」であり、ユーザー名ＹＮが「Ａ」である印刷ジョブＪＢに対応する許可フラグＦＬが「ＯＦＦ」から「ＯＮ」に書き換えられている。
【００８８】
以上、図４〜図８を参照して説明したように、本発明の実施形態では、第４判定部８０７の判定結果を示す情報が、第２印刷ジョブＪＢ２に対応付けて印刷ジョブ記憶部８２１に記憶される。よって、第１印刷ジョブＪＢ１の実行を許可する旨の判断を、第１印刷ジョブＪＢ１を指示したユーザーに２回以上求める必要がない。すなわち、第１印刷ジョブＪＢ１を２回以上実行する場合であっても、第１印刷ジョブＪＢ１を指示したユーザーは、１回だけ第１印刷ジョブＪＢ１の実行を許可する旨の判断を入力すればよい。したがって、ユーザーの利便性を更に向上できる。
【００８９】
次に、図４〜図１０を参照して、制御部８の処理について更に説明する。図９及び図１０では、印刷ジョブＪＢがコピージョブＣＪである場合について説明する。図９は、タッチパネル１４１に表示される文書名入力画面９１０の一例を示す画面図である。図９に示すように、文書名入力画面９１０には、メッセージ表示部９１１と、文書名入力部９１２と、ＯＫボタン９１３と、キャンセルボタン９１４とが表示される。
【００９０】
メッセージ表示部９１１には、文書名ＤＮの入力を促す旨のメッセージが表示される。具体的には、メッセージ表示部９１１には、「文書名を決定できません。コピーした原稿の文書名を入力して下さい。」とのメッセージが表示される。
【００９１】
文書名入力部９１２は、ユーザーからの入力に基づき、文書名ＤＮを受け付ける。文書名入力部９１２は、文書名入力領域９１２Ａを有する。文書名入力領域９１２Ａには、ユーザーからの入力に基づき、文書名ＤＮが入力され、入力された文書名ＤＮが表示される。例えば、文書名入力領域９１２Ａには、「ＪＩＲＡ」との文字列が文書名ＤＮとして入力されている。
【００９２】
ＯＫボタン９１３は、文書名入力領域９１２Ａに入力された文書名ＤＮに決定する場合に、ユーザーによってタッチされる。ＯＫボタン９１３がタッチされた場合には、文書名入力領域９１２Ａに入力された文書名ＤＮが、印刷ジョブ記憶部８２１に書き込まれる。
【００９３】
キャンセルボタン９１４は、文書名入力画面９１０を非表示にする場合に、ユーザーによってタッチされる。
【００９４】
図１０は、印刷ジョブ記憶部８２１が記憶する情報の一例を示す図である。図１０に示すように、印刷ジョブ記憶部８２１は、複数のコピージョブＣＪの各々について、番号ＮＭと、文書名ＤＮと、ユーザー名ＹＮと、許可フラグＦＬと対応付けて記憶する。本発明の実施形態では、印刷ジョブ記憶部８２１が４つのコピージョブＣＪを記憶する場合について説明する。
【００９５】
番号ＮＭは、コピージョブＣＪが実行された順番を示す。
【００９６】
文書名ＤＮは、コピージョブＣＪによって用紙Ｐに形成される画像Ｍに対応する。文書名ＤＮは、「画像を示す情報」の一例に相当する。文書名ＤＮは、例えば、文書名入力画面９１０に対するユーザーの入力によって決定される。ユーザーが、例えば、文書名入力領域９１２Ａに「ＪＩＲＡ」と入力し、ＯＫボタン９１３がタッチされた場合には、番号ＮＭが「１」の文書名ＤＮの欄に示すように、文書名ＤＮが「ＪＩＲＡ」に決定される。キャンセルボタン９１４がタッチされた場合には、番号ＮＭが「２」の文書名ＤＮの欄に示すように、文書名ＤＮが入力されない。
【００９７】
ユーザー名ＹＮは、画像形成装置１００に対してコピージョブＣＪの実行を指示したユーザーを示す。ユーザー名ＹＮは、「ユーザーを示す情報」の一例に相当する。
【００９８】
許可フラグＦＬは、コピージョブＣＪの実行を指示したユーザーによって、コピージョブＣＪの実行が許可されたか否かを示す。許可フラグＦＬが「ＯＦＦ」であることは、コピージョブＣＪの実行が許可されていないことを示す。許可フラグＦＬが「ＯＮ」であることは、コピージョブＣＪの実行が許可されていることを示す。
【００９９】
次に、図９及び図１０を参照して、制御部８の処理について更に説明する。コピージョブＣＪがユーザーによって指示された場合に、取得部８１２は、コピージョブＣＪに対応する画像情報ＭＪを画像読取ユニット２から取得する。生成部８１３は、画像情報ＭＪに対して文字認識処理を実行し、テキスト情報ＴＸを生成する。決定部８１４は、テキスト情報ＴＸに基づき、文書名ＤＮを決定する。決定部８１４が文書名ＤＮを決定できない場合には、決定部８１４は、文書名入力画面９１０をタッチパネル１４１に表示する。そして、決定部８１４は、文書名入力画面９１０に対するユーザーの入力に基づいて、文書名ＤＮを決定する。書込部８０９は、文書名ＤＮを印刷ジョブ記憶部８２１に書き込む。第２判定部８０３は、印刷ジョブ記憶部８２１に記憶された文書名ＤＮを参照して、複数の印刷ジョブＪＢが第２印刷ジョブＪＢ２を含むか否かを判定する。
【０１００】
以上、図４〜図１０を参照して説明したように、本発明の実施形態では、原稿Ｒに形成された画像Ｍを読み取り、画像情報ＭＪを生成し、画像情報ＭＪに対して文字認識処理を実行してテキスト情報ＴＸを生成する。そして、テキスト情報ＴＸに基づき、文書名ＤＮを決定する。よって、印刷ジョブＪＢが、コピージョブＣＪである場合に、文書名ＤＮを適正に決定できる。したがって、第１印刷ジョブＪＢ１がコピージョブＣＪである場合にも、画質Ｑの低い所定画像ＭＰが第１印刷ジョブＪＢ１で用紙Ｐに形成されることを抑制できる。すなわち、第１コンテナＴＣ１がトナー供給部１３に装着された状態で用紙Ｐに形成された所定画像ＭＰと比較して画質Ｑの低い所定画像ＭＰが第１印刷ジョブＪＢ１で用紙Ｐに形成されることを抑制できる。その結果、ユーザーの利便性を更に向上できる。
【０１０１】
また、決定部８１４が文書名ＤＮを決定できない場合には、文書名入力画面９１０がタッチパネル１４１に表示され、文書名入力画面９１０に対するユーザーの入力に基づいて、文書名ＤＮが決定される。よって、決定部８１４が文書名ＤＮを決定できない場合であっても、文書名ＤＮを適正に決定できる。したがって、ユーザーの利便性を更に向上できる。
【０１０２】
次に、図４〜図１２を参照して、制御部８の処理について更に説明する。図１１及び図１２は、制御部８の処理の一例を示すフローチャートである。なお、図１１及び図１２では、第１印刷ジョブＪＢ１がプリントジョブＰＪである場合について説明する。
図１１に示すように、ステップＳ１０１において、受付部８０１が、第１印刷ジョブＪＢ１を受け付けたか否かを判定する。
第１印刷ジョブＪＢ１を受け付けていないと受付部８０１が判定した場合（ステップＳ１０１でＮＯ）には、処理が待機状態になる。第１印刷ジョブＪＢ１を受け付けたと受付部８０１が判定した場合（ステップＳ１０１でＹＥＳ）には、処理がステップＳ１０３に進む。
そして、ステップＳ１０３において、第１判定部８０２が、トナー供給部１３に装着されたトナーコンテナＴＣの識別情報ＪＤを取得する。
次に、ステップＳ１０５において、第１判定部８０２が、トナーコンテナＴＣが第２コンテナＴＣ２であるか否かを判定する。
トナーコンテナＴＣが第２コンテナＴＣ２ではないと第１判定部８０２が判定した場合（ステップＳ１０５でＮＯ）には、処理が図１２に示すステップＳ１１９に進む。トナーコンテナＴＣが第２コンテナＴＣ２であると第１判定部８０２が判定した場合（ステップＳ１０５でＹＥＳ）には、処理がステップＳ１０７に進む。
【０１０３】
そして、ステップＳ１０７において、第２判定部８０３は、印刷ジョブ記憶部８２１に記憶された複数の印刷ジョブＪＢＰが、第２印刷ジョブＪＢ２を含むか否かを判定する。
複数の印刷ジョブＪＢＰが第２印刷ジョブＪＢ２を含まないと第２判定部８０３が判定した場合（ステップＳ１０７でＮＯ）には、処理が図１２に示すステップＳ１１９に進む。複数の印刷ジョブＪＢＰが第２印刷ジョブＪＢ２を含むと第２判定部８０３が判定した場合（ステップＳ１０７でＹＥＳ）には、処理がステップＳ１０９に進む。
そして、ステップＳ１０９において、第３判定部８０５は、第２印刷ジョブＪＢ２を指示したユーザーが、第１印刷ジョブＪＢ１を指示したユーザーと一致するか否か判定する。具体的には、第３判定部８０５は、第２印刷ジョブＪＢ２を指示したユーザーのユーザー名ＹＮと第１印刷ジョブＪＢ１を指示したユーザーのユーザー名ＹＮとが一致するか否かを判定する。
【０１０４】
第２印刷ジョブＪＢ２のユーザー名ＹＮと第１印刷ジョブＪＢ１のユーザー名ＹＮとが一致しないと第３判定部８０５が判定した場合（ステップＳ１０９でＮＯ）には、処理が図１２に示すステップＳ１１９に進む。第２印刷ジョブＪＢ２のユーザー名ＹＮと第１印刷ジョブＪＢ１のユーザー名ＹＮとが一致すると第３判定部８０５が判定した場合（ステップＳ１０９でＹＥＳ）には、処理がステップＳ１１１に進む。
そして、ステップＳ１１１において、制御部８は、第２印刷ジョブＪＢ２の許可フラグＦＬが「ＯＦＦ」であるか否かを判定する。
第２印刷ジョブＪＢ２の許可フラグＦＬが「ＯＦＦ」ではないと制御部８が判定した場合（ステップＳ１１１でＮＯ）には、処理が図１２に示すステップＳ１１９に進む。第２印刷ジョブＪＢ２の許可フラグＦＬが「ＯＦＦ」であると制御部８が判定した場合（ステップＳ１１１でＹＥＳ）には、処理がステップＳ１１３に進む。
そして、ステップＳ１１３において、第４判定部８０７は、タッチパネル１４１に印刷許否判定画面９００を表示する。
【０１０５】
次に、図１２に示すように、ステップＳ１１５において、第４判定部８０７は、第１印刷ジョブＪＢ１の実行を許可するか否かを判定する。
第１印刷ジョブＪＢ１の実行を許可しないと判定した場合（ステップＳ１１５でＮＯ）には、処理がステップＳ１２１に進む。
そして、ステップＳ１２１において、第２指示部８１１は、画像形成装置１００Ｂに対して第１印刷ジョブＪＢ１を実行する旨の指示情報を送信し、処理が終了する。なお、画像形成装置１００Ｂには、第１コンテナＴＣ１が装着されている。
第１印刷ジョブＪＢ１の実行を許可すると判定した場合（ステップＳ１１５でＹＥＳ）には、処理がステップＳ１１７に進む。
そして、ステップＳ１１７において、解除部８０８が、第１印刷ジョブＪＢ１の実行の規制を解除し、書込部８０９は、第２印刷ジョブＪＢ２に対応付する許可フラグＦＬを「ＯＮ」に変更する。
次に、ステップＳ１１９において、第１指示部８０６は、画像形成部４に対して第１印刷ジョブＪＢ１の実行するように指示し、処理が終了する。
【０１０６】
以上、図４〜図１２を参照して説明したように、本発明の実施形態では、第１印刷ジョブＪＢ１の実行が不許可であると判定され、且つ、画像形成装置１００Ｂに第１コンテナＴＣ１が装着されている場合に、画像形成装置１００Ｂに対して第１印刷ジョブＪＢ１を実行する旨の指示情報を送信する。したがって、ユーザーが所望する画質Ｑの画像Ｍを容易に形成できる。
【０１０７】
なお、本発明の実施形態では、画像形成装置１００Ｂに対して第１印刷ジョブＪＢ１を実行する旨の指示情報を送信するが、本発明はこれに限定されない。例えば、第１コンテナＴＣ１が装着されている複数の画像形成装置１００が接続されている場合には、以下のようにして第１印刷ジョブＪＢ１を実行する旨の指示情報を送信してもよい。すなわち、複数の画像形成装置１００の中から１つの画像形成装置をユーザーが選択して、選択した１つの画像形成装置に対して第１印刷ジョブＪＢ１を実行する旨の指示情報を送信してもよい。この場合には、第１印刷ジョブＪＢ１を実行する画像形成装置をユーザーが選択できる。したがって、ユーザーの利便性を更に向上できる。
【０１０８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１０９】
（１）図１〜図３を参照して説明したように、本発明の実施形態では、「消耗品」がトナーであり、「交換部品」がトナーコンテナＴＣであるが、本発明はこれに限定されない。「消耗品」を消費することによって用紙Ｐに画像Ｍを形成すればよい。例えば、「消耗品」がインクであり、「交換部品」がインクカートリッジでもよい。この場合には、「画像形成装置」は、インクジェット記録装置である。
【０１１０】
（２）図１〜図３を参照して説明したように、本発明の実施形態では、画像形成装置１００がカラー複合機であるが、本発明はこれに限定されない。画像形成装置１００が用紙Ｐに画像Ｍを形成すればよい。例えば、画像形成装置１００がモノクロの複合機でもよいし、画像形成装置１００がカラープリンターでもよい。
【０１１１】
（３）図１〜図４を参照して説明したように、本発明の実施形態では、第１コンテナＴＣ１が、専用品を示し、第２コンテナＴＣ２が非専用品を示すが、本発明はこれに限定されない。第１コンテナＴＣ１に収納されたトナーの品質が、第２コンテナＴＣ２に収納されたトナーの品質よりも高ければよい。例えば、第１コンテナＴＣ１が「高品質」のトナーを収納し、第２コンテナＴＣ２が「通常品質」のトナーを収納してもよい。「高品質」のトナーは、「通常品質」のトナーと比較して品質が高い。また、例えば、第１コンテナＴＣ１が「通常品質」のトナーを収納し、第２コンテナＴＣ２が「低品質」のトナーを収納してもよい。「通常品質」のトナーは、「低品質」のトナーと比較して品質が高い。
【産業上の利用可能性】
【０１１２】
本発明は、画像形成装置の分野に利用可能である。
【符号の説明】
【０１１３】
１００、１００Ａ、１００Ｂ    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
ＴＣ１    第１コンテナ（第１交換部品）
ＴＣ２    第２コンテナ（第２交換部品）
６、６１、６２、６３、６４    ＩＣタグ
７、７１、７２、７３、７４    リーダー
１４    操作パネル
１４１    タッチパネル
８    制御部
８１    プロセッサー
８０１    受付部
８０２    第１判定部
８０３    第２判定部
８０４    規制部
８０５    第３判定部
８０６    第１指示部
８０７    第４判定部
８０８    解除部
８０９    書込部
８１０    報知部
８１１    第２指示部
８１２    取得部
８１３    生成部
８１４    決定部
８２    記憶部
８２１    印刷ジョブ記憶部
２    画像読取ユニット
３    原稿搬送ユニット
２００    パーソナルコンピューター
ＴＮ、ＴＮ１〜ＴＮ４    トナー（消耗品）
ＪＢ    印刷ジョブ
ＪＢ１    第１印刷ジョブ
ＪＢ２    第２印刷ジョブ
ＪＢＰ    複数の印刷ジョブ
ＰＪ    プリントジョブ
ＣＪ    コピージョブ
ＦＮ    ファイル名（画像を示す情報）
ＤＮ    文書名（画像を示す情報）
ＹＮ    ユーザー名（ユーザーを示す情報）
ＦＬ    許可フラグ
【図１】
2019136884.tif 000003
【図２】
2019136884.tif 000004
【図３】
2019136884.tif 000005
【図４】
2019136884.tif 000006
【図５】
2019136884.tif 000007
【図６】
2019136884.tif 000008
【図７】
2019136884.tif 000009
【図８】
2019136884.tif 000010
【図９】
2019136884.tif 000011
【図１０】
2019136884.tif 000012
【図１１】
2019136884.tif 000013
【図１２】
2019136884.tif 000014